(57)【要約】【課題】顧客のオリジナル画像に対して所要の画像処理を施す際に、処理状況を容易に把握することができ、処理工程の順番や組み合わせの自由度が高いプリント処理システムを提供する。【解決手段】このシステムは、顧客毎に取得したオリジナル画像を顧客情報に関連付けて画像データベース３４に登録するとともに、オリジナル画像に対してプリント処理用に施す所要の画像処理を示す処理情報をオリジナル画像に関連付けて処理情報データベース３６に登録し、オリジナル画像とその処理情報とをそれぞれ分離して管理する。画像処理装置４０は、顧客選択及び工程選択により所望の画像を画像データベース３４から抽出することができ、抽出した画像に対して色補正等の処理情報が入力されると、その処理情報は、処理情報データベース３６にてオリジナル画像とは分離して管理される。【選択図】      図１
2005347802.tif 000002
【特許請求の範囲】
【請求項１】
写真撮影所での撮影により得られた顧客のオリジナル画像に対して所要の画像処理を施した後、処理済みの画像をプリントして顧客に提供するプリント処理方法において、
顧客毎に取得したオリジナル画像を顧客情報に関連付けて記憶する第１の記憶手段と、前記オリジナル画像に対して画像処理した処理情報を前記オリジナル画像に関連付けて記憶する第２の記憶手段とを備え、
(a) 前記顧客情報に基づいて前記第１の記憶手段から該顧客情報に対応するオリジナル画像を読み出す工程と、
(b) 前記読み出したオリジナル画像に対する画像処理を示す処理情報を入力する工程と、
(c) 前記入力した処理情報を前記オリジナル画像に関連付けて前記第２の記憶手段に記憶させる工程と、
(d) プリント指示が入力されると、プリント指示されたオリジナル画像を前記第１の記憶手段から読み出すとともに、該オリジナル画像に対応する処理情報を前記第２の記憶手段から読み出し、前記読み出したオリジナル画像に対応して前記読み出した処理情報に基づく画像処理を施してプリント用画像を作成する工程と、
(e) 前記作成したプリント用画像に基づいて写真プリントをプリント出力する工程と、を含み、前記工程(b) 及び工程(c) の処理を適宜繰り返すことを特徴とするプリント処理方法。
【請求項２】
前記オリジナル画像に対する画像処理は、オリジナル画像の色補正処理、トリミング処理、及びレイアウト合成処理のうちの少なくとも１つを含むことを特徴とする請求項１に記載のプリント処理方法。
【請求項３】
前記オリジナル画像に対して施す画像処理の工程のうちの任意の工程を選択する選択工程と、前記選択工程で選択された工程と前記第２の記憶手段に記憶された処理情報とに基づいて前記選択された工程が未処理のオリジナル画像を前記第１の記憶手段から読み出す工程とを有することを特徴とする請求項１又は２に記載のプリント処理方法。
【請求項４】
前記顧客情報に基づいて前記第１の記憶手段から該顧客情報に対応して読み出されたオリジナル画像のうちからプリント注文する画像を選択する工程と、前記選択した画像のプリント注文内容を入力する工程とを有することを特徴とする請求項１乃至３のいずれかに記載のプリント処理方法。
【請求項５】
顧客を特定する顧客情報を登録する顧客情報登録手段と、
顧客のオリジナル画像を撮影する撮影手段と、
前記撮影手段で撮影したオリジナル画像を取り込み、前記顧客情報登録手段に登録される顧客情報に関連付けて第１の記憶手段に記憶させる第１の記憶制御手段と、
前記顧客情報に基づいて前記第１の記憶手段から該顧客情報に対応するオリジナル画像を読み出す読出手段と、
前記読み出されたオリジナル画像に対する画像処理を示す処理情報を入力する処理情報入力手段と、
前記処理情報入力手段によって入力された処理情報を前記オリジナル画像に関連付けて第２の記憶手段に記憶させる第２の記憶制御手段と、
前記オリジナル画像を前記第１の記憶手段から読み出すとともに、該オリジナル画像に対応する処理情報を前記第２の記憶手段から読み出し、前記読み出したオリジナル画像に対応して前記読み出した処理情報に基づく画像処理を施してプリント用画像を作成する画像処理手段と、
前記画像処理手段によって作成されたプリント用画像に基づいて写真プリントをプリント出力するプリント手段と、
を備えたことを特徴とするプリント処理システム。
【請求項６】
プリント指示を入力するプリント指示入力手段を更に備え、前記画像処理手段は、前記プリント指示入力手段によってプリント指示されたオリジナル画像を前記第１の記憶手段から読み出すとともに、該オリジナル画像に対応する処理情報を前記第２の記憶手段から読み出し、前記読み出したオリジナル画像に対応して前記読み出した処理情報に基づく画像処理を施してプリント用画像を作成することを特徴とする請求項６に記載のプリント処理システム。
【発明の詳細な説明】
【技術分野】
【０００１】
本発明はプリント処理方法及びプリント処理システムに係り、特に写真館や撮影スタジオで撮影された画像の処理を効率よく行う技術に関する。
【背景技術】
【０００２】
図５は従来の顧客登録から写真プリントのプリント出力までの写真館のワークフローを示す図である。
【０００３】
図５に示すように、顧客は写真館の受け付けで顧客登録が行われたのち（ステップＳ１０）、デジタルカメラでデジタル撮影が行われ、デジタルカメラ又はデジタルカメラの記録メディアから撮影画像を画像データベースに取り込む（ステップＳ１２）。その後、デジタル撮影によって得られた画像を写真館内のディスプレイに表示させ、写真プリントする画像を顧客に選択して貰うためのプレゼンテーションが行われる（ステップＳ１４）。
【０００４】
写真館の画像処理装置では、前記プレゼンテーションによって選択されたデジタル画像を控えておき、その後、市販の画像処理ソフトを用いて前記選択したデジタル画像に対して色補正、トリミング処理、レイアウト合成（テンプレートへの画像嵌め込み）等の画像処理を行う（ステップＳ１６）。そして、この画像処理済のデジタル画像は、写真館のプリンタ１に出力され、ここで写真プリントが作成され、又は画像処理済のデジタル画像とともに、プリント枚数、プリントサイズ等の注文情報をメディアに記録し、これをラボ（現像所）２に送る。
【０００５】
ラボ２では、写真館から受け取ったデジタル画像を注文情報にしたがってデジタルプリンタ３によりデジタルプリントを行い、このデジタルプリントした写真プリントを写真館に引き渡すようにしている。
【０００６】
図６は上記デジタル工程の作業フローを示す図である。
【０００７】
同図において、顧客受付にて顧客情報控えが作成されると（ステップＳ２０）、顧客情報に関連付けて画像データベースに顧客画像整理のための顧客フォルダを作成する。
【０００８】
次に、スタジオ撮影が行なわれると（ステップＳ２２）、撮影画像はその顧客に対応して作成された顧客フォルダに格納される。その後、プレゼンテーションにより写真プリントする画像の選択が行なわれると（ステップＳ２４）、その選択した画像情報の控えが作成され、画像データベースでは顧客選択画像はサブフォルダに格納して管理される。
【０００９】
次に、顧客選択画像に対する画像処理が行なわれ（ステップＳ２６）、画像処理が行なわれた画像は、画像データベースで処理済み画像として管理される。その後、処理済み画像に基づいて写真館内のプリンタで写真プリントを作成し、又はラボにプリント注文を行なう（ステップＳ２８）。
【００１０】
また、従来、整理券を発行して顧客を撮影する撮影システムが提案されている（特許文献１）。この撮影システムは、自動券売機で顧客ＩＤが書き込まれた整理券を発行し、これをカードリーダに差し込むと撮影を開始する。この撮影により得られた画像データは画像データＩＤで管理される。また、顧客ＩＤと画像データＩＤとは関連付けられている。その後、前記整理券をカードリーダに挿入すると、顧客ＩＤに関連付けられた画像データＩＤによって対応する画像データを読み出して画像を表示し、ここで、好みの画像の選択が行なわれると、これをプリントする。
【特許文献１】特開２００３−１２５２３６号公報
【発明の開示】
【発明が解決しようとする課題】
【００１１】
従来のプリント処理システムは、顧客情報に関連付けて顧客の撮影画像を画像データベースで管理しているが、画像の処理情報等の管理は行なっていない。作業フローの管理は、顧客毎にシーケンシャルであり、そのため、撮影画像に対して施される色補正、トリミング処理、レイアウト合成等の処理工程ごとの作業負荷状態（未作業オーダ）を見積もったり、顧客毎の画像の完成度をチェックするのが難しいという問題がある。即ち、最終生成物（写真プリント）が仕上がるまで処理状況が把握できないという問題がある。
【００１２】
また、各作業工程毎に顧客の画像を探す手作業があり効率が悪く、更に複数の作業工程のうちの或る作業工程を飛ばし、後から飛ばした作業工程を行なうことが難しいという問題がある。更にまた、後で一部の処理工程のやり直しを行なう場合、処理済み画像に対して、再度画像処理を行なうと、画質が劣化するという問題がある。
【００１３】
一方、特許文献１に記載には、顧客ＩＤが記録された整理券を発行し、この整理券を利用して撮影や画像データを読み出して好みの画像を選択する記載があるが、選択した画像に対する画像処理に関する記載がなく、もちろん、画像の処理情報の管理を行なう記載もない。
【００１４】
本発明はこのような事情に鑑みてなされたもので、写真撮影所での撮影により得られた顧客のオリジナル画像に対して所要の画像処理を施す際に、各画像処理の処理状況を容易に把握することができ、また目的に応じて処理工程の順番や組み合わせを自由に設定でき、更に画質の劣化を招くことなく何回でも効率よく処理のやり直しを行なうことができ、また複数の処理を並列して行なうこともできるプリント処理方法及びプリント処理システムを提供することを目的とする。
【課題を解決するための手段】
【００１５】
前記目的を達成するために請求項１に係る発明は、写真撮影所での撮影により得られた顧客のオリジナル画像に対して所要の画像処理を施した後、処理済みの画像をプリントして顧客に提供するプリント処理方法において、
顧客毎に取得したオリジナル画像を顧客情報に関連付けて記憶する第１の記憶手段と、前記オリジナル画像に対して画像処理した処理情報を前記オリジナル画像に関連付けて記憶する第２の記憶手段とを備え、
(a) 前記顧客情報に基づいて前記第１の記憶手段から該顧客情報に対応するオリジナル画像を読み出す工程と、
(b) 前記読み出したオリジナル画像に対する画像処理を示す処理情報を入力する工程と、
(c) 前記入力した処理情報を前記オリジナル画像に関連付けて前記第２の記憶手段に記憶させる工程と、
(d) プリント指示が入力されると、プリント指示されたオリジナル画像を前記第１の記憶手段から読み出すとともに、該オリジナル画像に対応する処理情報を前記第２の記憶手段から読み出し、前記読み出したオリジナル画像に対応して前記読み出した処理情報に基づく画像処理を施してプリント用画像を作成する工程と、
(e) 前記作成したプリント用画像に基づいて写真プリントをプリント出力する工程と、を含み、前記工程(b) 及び工程(c) の処理を適宜繰り返すことを特徴としている。
【００１６】
請求項１に係る発明は、顧客毎に取得したオリジナル画像を顧客情報に関連付けて第１の記憶手段に記憶させるとともに、前記オリジナル画像に対して施す所要の画像処理を示す処理情報をオリジナル画像に関連付けて第２の記憶手段に記憶させ、オリジナル画像とその処理情報とをそれぞれ分離して管理するようにしている。即ち、画像処理毎にプリント用画像を作成、更新していくのではなく、処理情報を順次記述していく。前記第２の記憶手段に記憶された処理情報から、各画像処理の処理状況を容易に把握することができる。また、オリジナル画像に対して複数の画像処理を施す際に、目的に応じて処理工程の順番や組み合わせを自由に設定でき、既に登録された処理情報のみを更新することにより、画質の劣化を招くことなく何回でも効率よく画像処理のやり直しを行なうことができる。
【００１７】
オリジナル画像に対して複数の画像処理を施す場合には、前記工程(b) 及び工程(c) の処理を適宜繰り返す。複数の画像処理の工程は独立しており、適宜の時期に必要な工程を実施し、処理情報の追加や更新ができる。また、それぞれの工程は、並列した操作と処理が可能であり、シーケンシャルな工程組みをしなくてもよい。
【００１８】
請求項２に示すように請求項１に記載のプリント処理方法において、前記画像処理は、オリジナル画像の色補正処理、トリミング処理、及びレイアウト合成処理のうちの少なくとも１つを含むことを特徴としている。
【００１９】
請求項３に示すように請求項１又は２に記載のプリント処理方法において、前記オリジナル画像に対して施す画像処理の工程のうちの任意の工程を選択する選択工程と、前記選択工程で選択された工程と前記第２の記憶手段に記憶された処理情報とに基づいて前記選択された工程が未処理のオリジナル画像を前記第１の記憶手段から読み出す工程とを有することを特徴としている。即ち、オリジナル画像に対して施す画像処理の工程を選択すると、その工程における処理済／未処理の顧客の画像が分かる。
【００２０】
請求項４に示すように請求項１乃至３のいずれかに記載のプリント処理方法において、前記顧客情報に基づいて前記第１の記憶手段から該顧客情報に対応して読み出されたオリジナル画像のうちからプリント注文する画像を選択する工程と、前記選択した画像のプリント注文内容を入力する工程とを有することを特徴としている。
【００２１】
請求項５に係るプリント処理システムは、顧客を特定する顧客情報を登録する顧客情報登録手段と、顧客のオリジナル画像を撮影する撮影手段と、前記撮影手段で撮影したオリジナル画像を取り込み、前記顧客情報登録手段に登録される顧客情報に関連付けて第１の記憶手段に記憶させる第１の記憶制御手段と、前記顧客情報に基づいて前記第１の記憶手段から該顧客情報に対応するオリジナル画像を読み出す読出手段と、前記読み出されたオリジナル画像に対する画像処理を示す処理情報を入力する処理情報入力手段と、前記処理情報入力手段によって入力された処理情報を前記オリジナル画像に関連付けて第２の記憶手段に記憶させる第２の記憶制御手段と、前記オリジナル画像を前記第１の記憶手段から読み出すとともに、該オリジナル画像に対応する処理情報を前記第２の記憶手段から読み出し、前記読み出したオリジナル画像に対応して前記読み出した処理情報に基づく画像処理を施してプリント用画像を作成する画像処理手段と、前記画像処理手段によって作成されたプリント用画像に基づいて写真プリントをプリント出力するプリント手段と、を備えたことを特徴としている。
【００２２】
上記構成のプリント処理システムは、写真館や撮影スタジオ等の写真撮影所で完結するシステムとしてもよいし、写真撮影所とラボ（現像所）とで構成したシステムとしてもよいし、更に写真撮影所とラボとネットサーバとで構成したシステムとしてもよい。
【００２３】
写真撮影所とラボとでシステムを構成する場合、ラボに前記プリント手段を設け、写真撮影所側で作成されたプリント用画像を、記録メディア又はネットワークを介してラボに送る。また、写真撮影所とラボとでシステムを構成する場合、写真撮影所の撮影手段のみを使用し、この撮影手段で撮影した画像、及び写真撮影所で受け付けた顧客情報をラボに送る。尚、ラボに送る画像は、デジタル画像でもよいし、ネガフイルムでもよい。
【００２４】
更に、写真撮影所とラボとネットサーバとでシステムを構成する場合、写真撮影所に前記撮影手段及び処理情報入力手段を設け、この撮影手段で撮影した画像、及び写真撮影所で受け付けた顧客情報をラボに送る。尚、ラボに送る画像は、デジタル画像でもよいし、ネガフイルムでもよい。また、ラボ側で作成された処理結果の確認用のビュー画像は、ネットサーバにアップロードし、写真撮影所から閲覧できるようにし、写真撮影所の処理情報入力手段によってネットサーバを介して処理情報を入力できるようにする。
【００２５】
請求項６に示すように請求項５に記載のプリント処理システムにおいて、プリント指示を入力するプリント指示入力手段を更に備え、前記第２の画像処理手段は、前記プリント指示入力手段によってプリント指示されたオリジナル画像を前記第１の記憶手段から読み出すとともに、該オリジナル画像に対応する処理情報を前記第２の記憶手段から読み出し、前記読み出したオリジナル画像に対応して前記読み出した処理情報に基づく画像処理を施してプリント用画像を作成することを特徴としている。
【発明の効果】
【００２６】
本発明によれば、写真撮影所での撮影により得られた顧客のオリジナル画像に対して所要の画像処理を施す際に、オリジナル画像とそのオリジナル画像に対する画像処理を示す処理情報とをそれぞれ分離して管理するようにしたため、オリジナル画像に対して複数の画像処理を施す際に、目的に応じて処理工程の順番や組み合わせを自由に設定でき、また、適宜の処理情報の追加等を任意のタイミングで行なうことができる。また、処理情報のみを更新することにより、画質の劣化を招くことなく何回でも効率よく画像処理のやり直しを行なうことができる。
【発明を実施するための最良の形態】
【００２７】
以下添付図面に従って本発明に係るプリント処理方法及びプリント処理システムの好ましい実施の形態について詳説する。
【００２８】
図１は本発明に係るプリント処理システムの実施の形態を示す構成図であり、写真撮影所内に設けられたシステムに関して示している。
【００２９】
このシステムは、主として顧客受付装置１０と、撮影装置２０と、データベース（データベース管理システム）３０と、画像処理装置４０、５０とから構成されている。
【００３０】
顧客受付装置１０は、例えば、パーソナルコンピュータ（パソコン）と、顧客カード発行装置とからなり、顧客受付時に顧客の住所、氏名、電話番号等の顧客情報が入力されると、顧客を識別するユニークな顧客識別情報（顧客ＩＤ）を発行し、この顧客ＩＤを含む顧客情報をデータベース３０に送り、データベース３０内の顧客データベース３２に登録する。また、顧客受付装置１０の顧客カード発行装置は、顧客の氏名や顧客ＩＤを示すバーコードを印刷した顧客カードを発行し、この顧客カードは顧客に手渡される。
【００３１】
撮影装置２０は、デジタルカメラ２２と、パソコンからなる画像取込装置２４とからなり、画像取込装置２４は顧客カードから顧客ＩＤを示すバーコードを読み取りバーコードリーダを備えている。また、デジタルカメラ２２は、画像取込装置２４とＩＥＥＥ１３９４等のインターフェースを介して接続されており、顧客を撮影する毎にインターフェースを介して画像取込装置２４に画像ファイルを転送する。
【００３２】
ここで、顧客を撮影する場合には、まず、顧客カードに印刷されている顧客ＩＤを画像取込装置２４のバーコードリーダによって読み取らせ、その後、写真館の撮影者は、デジタルカメラ２２を操作し、一人の顧客に対してポーズや衣装等を変えて通常、数十枚分の撮影を行う。このようにしてデジタル撮影されたデジタル画像（オリジナル画像）が記録された画像ファイルは、撮影毎にデジタルカメラ２２から画像取込装置２４に転送される。
【００３３】
画像取込装置２４は、デジタルカメラ２２から取り込んだ画像ファイルのファイル名（例えば、ＤＣＦ規定によりデジタルカメラ２２により自動的に命名されたファイル名）を、事前に読み込んだ顧客ＩＤに関連するファイル名（顧客ＩＤ＋連番）にリネームし、この画像ファイルをデータベース３０の画像データベース３４に送る。尚、画像取込装置２４は、デジタルカメラ２２の記録メディアを介してオリジナル画像の画像ファイルを取り込むようにしてもよい。また、オリジナル画像の画像データは、未処理のＲＡＷデータである。
【００３４】
データベース３０は、顧客情報データベース３２、画像データベース３４、及び処理情報データべース３６を含み、顧客情報データベース３２は、前記顧客受付装置１０から送信された顧客情報を管理し、画像データベース３４は、画像取込装置２４から送信されたオリジナル画像を管理し、処理情報データベース３６は、後述するようにオリジナル画像に対する処理情報等を管理する。
【００３５】
顧客情報データベース３２に新規の顧客情報が登録されると、顧客情報に含まれる顧客ＩＤをフォルダ名とする顧客フォルダが画像データベース３４に自動作成される。その後、前記画像取込装置２４からオリジナル画像の画像ファイルが画像データベース３４に送られると、画像ファイルは、そのファイル名（顧客ＩＤ＋連番）に対応する顧客ＩＤを有する顧客フォルダに自動的に格納される。
【００３６】
画像処理装置４０は、画像選択、色補正、トリミング処理、レイアウト合成、及びプリント注文等の各工程の処理に対応するソウトウエアが組み込まれたパソコンと、バーコードリーダとから構成され、前記データベース３０に接続されている。
【００３７】
この画像処理装置４０で所望の顧客選択及び工程選択が行なわれる。顧客選択は、画像処理装置４０のバーコードリーダにより顧客カードの顧客ＩＤを読み取らせることによって行なわれ、工程選択は、工程選択メニュー等で所望の工程を選択することによって行なわれる。
【００３８】
処理情報データベース３６は、オリジナル画像に対する各工程の処理済／未処理の状況、及び処理済みの場合の処理内容を示す処理情報等を管理しており、前記画像処理装置４０で工程選択が行なわれると、その工程の未処理のオリジナル画像を画像データベース３４から抽出し、また、前記画像処理装置４０で顧客選択が行なわれると、更にその顧客の未処理のオリジナル画像を抽出する。
【００３９】
いま、ある顧客のオリジナル画像から写真プリントする画像を顧客に選択して貰うためのプレゼンテーションを行なう場合には、その顧客の顧客ＩＤに基づいて画像データベース３４から対応するオリジナル画像を読み出してディスプレイに表示させる。ここで、写真プリントする画像が選択されると、その選択画像の情報は、処理情報データベース３６に登録される。
【００４０】
同様にして、オリジナル画像の色補正、階調補正、トリミング処理、レイアウト合成（テンプレート合成）等の工程を選択し、適宜の処理情報を入力することにより、各工程での処理情報をオリジナル画像に関連付けて処理情報データベース３６に登録することができる。尚、画像処理装置４０は、各工程で処理情報を入力するための補助機能として、オリジナル画像に対して入力した処理情報による処理結果を示すビュー画像を作成し、このビュー画像をディスプレイに表示する機能を有している。
【００４１】
また、プリント注文工程が選択されると、この工程では、プリントサイズ、プリント枚数、加工内容等を示すプリント注文内容の確認、及び指示入力が行なわれ、プリント注文内容は処理情報データベース３６に登録される。
【００４２】
その後、画像処理装置４０からある顧客の画像のプリント指示入力があると、プリント指示されたオリジナル画像と、そのオリジナル画像に対する処理情報とがそれぞれ画像データベース３４及び処理情報データベース３６から読み出され、画像処理装置５０に出力される。
【００４３】
画像処理装置５０は、入力するオリジナル画像と、そのオリジナル画像に対する処理情報とに基づいてオリジナル画像の画像処理を行なってプリント用画像を作成し、この処理済みのプリント用画像とプリントサイズ、プリント枚数等の情報を写真プリンタ６０に送る。
【００４４】
写真プリンタ６０は、画像処理装置５０から入力した処理済みのプリント用画像に基づいて銀塩方式のカラーペーパーにＲ，Ｇ，Ｂレーザーで走査露光して画像をプリントする。
【００４５】
上記構成のプリント処理システムにおける画像処理装置４０は、複数設けてもよく、この場合、それぞれの画像処理装置で複数の処理を並列して行なうことができる。また、画像処理装置４０と画像処理装置５０とは同一のものでもよい。
【００４６】
図２は本発明に係るプリント処理方法を示すワークフローを示す図である。
【００４７】
同図において、顧客受付装置１０で顧客情報が入力されると（ステップＳ５０）、入力された受顧客情報は、顧客情報データベース３２に登録され、また、画像データベース３４には顧客フォルダが作成される。
【００４８】
続いて、スタジオ撮影、プレゼンテーション、及び画像処理を含む処理工程が実施される（ステップＳ５２）。顧客別にスタジオ撮影された各顧客のオリジナル画像は、画像データベース３４の顧客フォルダに格納される。その後、画像処理装置４０で所望の顧客選択及び工程選択が行なわれる。プレゼンテーションを行なう場合には、画像データベース３４から顧客に対応するオリジナル画像を読み出してディスプレイに表示させ、写真プリントする画像がセレクトされる。このセレクト情報は、処理情報データベース３６に登録される。また、顧客選択及び工程選択により、選択された顧客の、選択された工程の未処理のオリジナル画像が画像データベースから抽出され、この抽出されたオリジナル画像に対して選択された工程の画像処理を施し、その処理結果を示す処理情報を処理情報データベース３６に登録する。
【００４９】
上記処理工程が終了すると、続いて顧客別のプリント注文情報が作成され（ステップＳ５４）、この注文情報は処理情報データベース３６に登録される。そして、画像データベース３４に格納されているプリント注文されたオリジナル画像は、処理情報データベース３６に登録された処理情報に基づいて画像処理が施され、プリント用画像が作成される（ステップＳ５６）。
【００５０】
上記ステップＳ５２での処理工程において、処理情報データベース３６で管理されている各工程の処理済／未処理の情報から各工程の処理状況を確認することができ、これにより、処理が溜まっている工程を集中して作業することができる。また、後で一部の処理情報の追加、更新等を行なうことで、再処理、再加工、追加処理を画質を劣化させずに行なうことができる。
【００５１】
図３は本発明に係るプリント処理システムの他の実施の形態を示す構成図であり、写真撮影所１００とラボ２００とから構成されている。尚、図１と共通する部分には同一の符号を付し、その詳細な説明は省略する。
【００５２】
写真撮影所１００には、図１に示したように顧客受付装置１０、撮影装置２０、データベース３０及び画像処理装置４０が設けられている。ここで、データベース３０で管理されている顧客情報、プリント注文されたオリジナル画像、及びオリジナル画像に対す処理情報（注文情報を含む）は、ラボ２００に送られる。尚、これらの情報は、ネットワークを介してラボに送信するようにしてもよいし、ＣＤ−Ｒ、ＭＯ等の記録メディアを介して送るようにしてもよい。更に、処理情報は、オリジナル画像の画像ファイル内部に含ませるようにしてもよい。
【００５３】
一方、ラボ２００には、データベース２１０、画像処理装置２２０、２３０、及び写真プリンタ２４０が設けられている。写真撮影所１００から送られた顧客情報、オリジナル画像、及びオリジナル画像に対す処理情報は、ラボ２００のデータベース２１０に登録される。尚、データベース２１０の構造は、写真撮影所１００のデータベース３０の構造と同じである。
【００５４】
また、画像処理装置２２０は、写真撮影所１００の画像処理装置４０と同じ機能を有しており、この画像処理装置２２０を操作することで、不足工程の補完、再加工を実施することができ、その処理情報は、データベース２１０の処理情報データベースに登録される。オリジナル画像そのものを加工しないのは、写真撮影所側での処理と同じである。
【００５５】
上記画像処理装置２２０による処理後、オリジナル画像と、そのオリジナル画像に対する処理情報とがそれぞれデータベース２１０から読み出され、画像処理装置２３０に出力される。
【００５６】
画像処理装置２３０は、入力するオリジナル画像と、そのオリジナル画像に対する処理情報とに基づいてオリジナル画像の画像処理を行なってプリント用画像を作成し、この処理済みのプリント用画像とプリントサイズ、プリント枚数等の情報を写真プリンタ２４０に送る。写真プリンタ２４０は、画像処理装置５０から入力した処理済みのプリント用画像に基づいて銀塩方式のカラーペーパーにＲ，Ｇ，Ｂレーザーで走査露光して画像をプリントする。
【００５７】
尚、この実施の形態では、写真撮影所１００及びラボ２００の両方で各処理工程での処理情報の登録ができるようになっているが、これに限らず、写真撮影所１００では、プリント注文するオリジナル画像、顧客情報及び注文情報のみをラボ２００に提供し、ラボ２００側のみで各処理工程での処理情報の登録を行なうようにしてもよい。また、写真撮影所１００から提供するオリジナル画像は、未現像のネガフイルムでもよい。
【００５８】
図４は本発明に係るプリント処理システムの更に他の実施の形態を示す構成図であり、写真撮影所１００′と、ラボ２００′と、ネットサーバ３００とから構成されている。尚、図１及び図３と共通する部分には同一の符号を付し、その詳細な説明は省略する。
【００５９】
写真撮影所１００′には、顧客受付装置１０′、撮影装置２０′、及び情報入力装置７０が設けられている。
【００６０】
顧客受付装置１０は、顧客受付時に顧客情報が入力されると、顧客情報が記述された顧客カード１１を発行する。撮影装置２０′は銀塩カメラであり、写真館の撮影者は、撮影装置２０′を操作して顧客の撮影を行なう。顧客の撮影終了後、撮影装置２０′から取り出されたネガフイルム２１と顧客カード１１は、ラボ２００′に送られる。
【００６１】
情報入力装置７０は、ネットサーバ３００にアクセスしてネットサーバ３００にアップロードされた情報をブラウズすることができ、後述するように処理情報等の入力ができるようになっている。
【００６２】
ラボ２００′には、図３に示したデータベース２１０、画像処理装置２３０、及び写真プリンタ２４０の他に、現像装置２５０、ネガスキャナ２６０、及び情報処理装置２７０が設けられている。
【００６３】
ラボ２００′では、写真撮影所１００′から送られてきた顧客カード１１に記述された顧客情報の入力が行なわれ、この顧客情報は顧客情報データベース２１２に登録される。また、写真撮影所１００′から送られてきたネガフイルム２１は、現像装置２５０によって現像され、現像済みのネガフイルム２１は、ネガスキャナ２６０によって読み取られ、デジタル化される。このデジタル化された画像（オリジナル画像）は、画像データベース２１４に登録される。ここで、画像データベース２１４には、顧客情報データベース２１２への顧客情報の登録に対応して顧客フォルダが自動生成されており、前記デジタル化されたオリジナル画像は、対応する顧客フォルダに格納される。
【００６４】
情報処理装置２７０は、写真撮影所１００′側の情報入力装置７０で入力された処理情報等をネットサーバ３００を介して取り込み、画像データベース２１４から読み出したオリジナル画像を前記取り込んだ処理情報に対応して処理したシミュレーション結果（ビュー画像）を作成する機能と、ビュー画像、顧客情報、処理情報をネットサーバ３００にアップロードする機能と、確定した処理情報等を処理情報データベース２１６に登録する機能等を有している。
【００６５】
写真撮影所１００′側の情報入力装置７０は、ネットサーバ３００にアクセスし、ネットサーバ３００を介してラボ２００′との間で必要な情報の授受ができるようになっている。この情報入力装置７０で顧客選択や工程選択が行なわれると、選択された顧客の、選択された工程の未処理の画像（ビュー画像）を閲覧することができ、ビュー画像をモニタリングしながらプリント注文する画像セレクト、各処理工程での処理情報の入力、及びプリント注文情報の入力を行なうことができる。
【００６６】
ラボ２００′側の情報処理装置２７０は、情報入力装置７０で入力された各種の情報をネットサーバ３００を介して取り込み、この取り込んだ処理情報に対応してビュー画像を作成し、新たに作成したビュー画像によってネットサーバ３００上のビュー画像を更新したり、処理内容が確定すると、その処理情報を処理情報データベース２１６に登録する。
【００６７】
上記のようにして写真撮影所１００′の情報入力装置７０によりリモートで処理作業が進められ、処理工程が終了すると、ラボ２００′側では、データベース２１０からプリント注文されたオリジナル画像と、そのオリジナル画像に対する処理情報とが読み出され、画像処理装置２３０に出力される。
【００６８】
画像処理装置２３０は、入力するオリジナル画像と、そのオリジナル画像に対する処理情報とに基づいてオリジナル画像の画像処理を行なってプリント用画像を作成し、この処理済みのプリント用画像とプリントサイズ、プリント枚数等の情報を写真プリンタ２４０に送る。写真プリンタ２４０は、画像処理装置５０から入力した処理済みのプリント用画像に基づいて銀塩方式のカラーペーパーにＲ，Ｇ，Ｂレーザーで走査露光して画像をプリントする。
【００６９】
尚、この実施の形態では、写真撮影所１００′から顧客カード１１及びネガフイルム２１をラボ２００′に送るようにしているが、これに限らず、デジタルの顧客情報及びオリジナル画像を記録メディア又はネットワークを介してラボ２００′に送るようにしてもよい。
【００７０】
また、顧客受付装置では、顧客ＩＤを示すバーコードが記録された顧客カードを発行するようにしたが、これに限らず、顧客ＩＤ等が記録された磁気カードやＩＣカードなどを発行するようにしてもよい。また、再来者に対しては監視カメラで顔認識して自動受付を行なうようにしてもよい。
【図面の簡単な説明】
【００７１】
【図１】図１は本発明に係るプリント処理システムの実施の形態を示す構成図である。
【図２】図２は本発明に係るプリント処理方法を示すワークフローを示す図である。
【図３】図３は本発明に係るプリント処理システムの他の実施の形態を示す構成図である。
【図４】図４は本発明に係るプリント処理システムの更に他の実施の形態を示す構成図である。
【図５】図５は従来の顧客登録から写真プリントのプリント出力までの写真館のワークフローを示す図である。
【図６】図６は図５に示したデジタル工程の作業フローを示す図である。
【符号の説明】
【００７２】
１０…顧客受付装置、２０、２０′…撮影装置、３０、２１０…データベース、３２、２１２…顧客情報データベース、３４、２１４…画像データベース、３６、２１６…処理情報データベース、４０、５０、２２０、２３０…画像処理装置、６０、２４０…写真プリンタ、１００、１００′…写真撮影所、２００、２００′…現像所（ラボ）、３００…ネットサーバ
【図１】
2005347802.tif 000003
【図２】
2005347802.tif 000004
【図３】
2005347802.tif 000005
【図４】
2005347802.tif 000006
【図５】
2005347802.tif 000007
【図６】
2005347802.tif 000008